(57)【要約】【課題】  金銭自動受払機（通称ＡＴＭ、以後ＡＴＭと称す）の盗難時に、ＡＴＭ内部に収納している紙幣を後日、日本銀行において両替可能な状態で紙幣を使用不能にする装置【解決手段】  この発明は、コンビニエンスストアーや、独立した建物内に設置されているＡＴＭを大型建設機械等を使用した盗難や破壊、掠奪犯罪が多発している犯罪防止のために発明した。  本発明の技術背景は、ＡＴＭを破壊または鍵を使用しないで紙幣の収納箱を開けようとした場合にその衝撃で、収納箱内部の紙幣を瞬間的に使用不能になるようにするための装置である。但し、後日日本銀行において両替可能な状態で使用不能にする事であります。【選択図】  図１
2005157999.tif 000002
【特許請求の範囲】
【請求項１】
金銭自動受払機（通称ＡＴＭ、以下ＡＴＭと称す）本体が盗難に会い掠奪者がＡＴＭを破壊し内部に収納された紙幣を取り出そうとした場合に、ＡＴＭの紙幣収納部を指定の鍵で開錠しない限り、破壊等の衝撃を加えた場合収納した紙幣が後日、日本銀行において両替可能な状態を保ちながら、瞬間的に接着剤で固形化し、紙幣を使用不能にする防犯装置
【請求項２】
ＡＴＭ本体が盗難に会い、掠奪者がＡＴＭを破壊し内部に収納された紙幣を取り出そうとした場合に、ＡＴＭの紙幣収納部を指定の鍵で開錠しない限り、破壊等の衝撃を加えた場合収納した紙幣が後日、日本銀行において両替可能な状態を保ちながら、瞬間的に脱色不可能な塗料が収納された紙幣を染色し、紙幣を使用不能にする防犯装置
【請求項３】
ＡＴＭ本体が盗難に会い、掠奪者がＡＴＭを破壊し内部に収納された紙幣を取り出そうとした場合に、ＡＴＭの紙幣収納部を指定の鍵で開錠しない限り、破壊等の衝撃を加えた場合収納した紙幣が後日、日本銀行において両替可能な状態を保ちながら、瞬間的に紙幣収納部に強烈な異臭を発生させ、付着した異臭は完全に消滅することの無い特殊な異臭を紙幣に付着させ、紙幣を使用不能にする防犯装置
【発明の詳細な説明】
【技術分野】
【０００１】  この発明は、コンビニエンスストアーや、独立した建物内に設置されているＡＴＭを大型建設機械等を使用した盗難や破壊、掠奪犯罪が多発している犯罪防止のために発明した。
掠奪犯人はＡＴＭ内部に収納されている紙幣を掠取することが目的の犯罪で、犯行後にはＡＴＭを破壊し、内部に収納された紙幣を掠取することが目的であります。
本発明は、ＡＴＭ内部に収納された紙幣を、破壊時の衝撃等により請求項１から３の手段で、掠奪した紙幣を使用不能にする装置の発明であります。
【技術背景】
【０００２】  本発明の技術背景は、ＡＴＭを破壊または鍵を使用しないで紙幣の収納箱を開けようとした場合にその衝撃で、収納箱内部の紙幣を瞬間的に使用不能になるようにするための装置である。但し、後日日本銀行において両替可能な状態で使用不能にする事であります。
衝撃により作動する装置の代表的な事例は、自動車のエアーバックがありますが、これは瞬間的に少量の爆薬を用いてバルブを破壊して、収納された気体を瞬時にバック内部に充満させる技術が実用化されています。
本発明の機構は、紙幣収納箱内部に装置した、請求項１に記述している瞬間接着剤や、請求項２に記述している脱色不可能な塗料および請求項３に述べている脱臭不可能な異臭を、犯人がＡＴＭを破壊した時にエアーバックの場合と同じく急激に充満させる必要があるものと推定します。
又、掠奪犯人がＡＴＭを破壊しようとする瞬間に、紙幣収納箱内部でバルブ破壊時の爆発音が起これば、犯人を爆発音により精神的に不安に陥れる効果もあるものと思われる。
現在は公知となっている、少量の爆薬による破壊力で充填物収容容器のバルブを一気に破壊して、収納された物体を一気に噴出させる機構を本発明の技術背景としています。
【発明の開示】
【発明が解決しようとする課題】
【０００３】  本発明が解決しようとする課題は、ＡＴＭが盗難にあった場合、犯人は内部に収納されている紙幣を掠奪することが目的で犯行に及ぶわけであります。その行為により、たとえＡＴＭ本体は掠奪した犯人達により破壊されることがあっても、ＡＴＭ内部に収納されている紙幣を、如何にして後日日本銀行において両替可能な状態で紙幣を使用不能な状態にすることであります。
以下、本発明の請求項で記述するごとく３通りの紙幣を使用不能にする方法が考えられます。【０００４】  請求項１に記述する如く、ＡＴＭ本体が犯人により盗難にあった場合、掠奪した犯人はＡＴＭを破壊し、内部に収納された紙幣を掠奪するのが犯人の目的であります。
そのためには、ＡＴＭの紙幣収納部を指定の鍵で開錠しないで破壊等の衝撃を加えて収納箱を破壊して収納した紙幣を搾取しても、後日、日本銀行において両替可能な状態を保ちながらその紙幣を使用不能にする事であります。
その方法として瞬間的に接着剤で固形化し、紙幣を使用不能にするための発明があります。無色透明の通称「瞬間接着剤」を圧縮した不燃性ガスと一緒に容器に充填して、紙幣の収納箱内に設置します。その容器のバルブには小量の爆薬を装填して衝撃によりバルブが破壊されるように製作します。
バルブが破壊されると容器内に充填した無色透明の瞬間接着剤が一気に紙幣収納箱内に吐出て、筐体内に収納している紙幣を瞬間に接着剤で固形化して取り出すこともできなくなります。
後日、日本銀行において固形化された紙幣の形状が紙幣であると確認することが出来、枚数が確認できれば、同額の紙幣と交換できる事は法律により保障されています。【０００５】  次に請求項２に記述する如く、ＡＴＭ本体が盗難にあった場合、掠奪した犯人はＡＴＭを破壊し、内部に収納された紙幣を掠奪するのが犯人の目的であります。
そのためには、ＡＴＭの紙幣収納部を指定の鍵で開錠しないで破壊等の衝撃を加えて収納箱を破壊して収納した紙幣を搾取しても、後日、日本銀行において両替可能な状態を保ちながらその紙幣を使用不能にする事であります。
その方法として犯人が紙幣の収納箱を破壊しようとした場合、瞬間的に紙幣を脱色不可能な塗料で染色し、紙幣を使用不能にするための発明があります。脱色不可能な塗料を圧縮した不燃性ガスと一緒に容器に充填して、紙幣の収納箱内に設置します。その容器のバルブには小量の爆薬を装填して衝撃によりバルブが破壊されるように製作します。
バルブが破壊されると容器内に充填した脱色不可能な塗料が一気に紙幣収納箱内に吐出て、筐体内に収納している紙幣を瞬間に脱色不可能な塗料で着色し、紙幣として使用不能の状態にします。
後日、日本銀行において脱色不可能な塗料で着色された紙幣でも、形状が紙幣であると確認することが出来、枚数が確認できれば、同額の紙幣と交換できる事は法律により保障されています。【０００６】    次に請求項３に記述する如く、ＡＴＭ本体が盗難にあった場合、掠奪した犯人はＡＴＭを破壊し、内部に収納された紙幣を掠奪するのが犯人の目的であります。
そのためには、ＡＴＭの紙幣収納部を指定の鍵で開錠しないで破壊等の衝撃を加えて収納箱を破壊して収納した紙幣を搾取しても、後日、日本銀行において両替可能な状態を保ちながらその紙幣を使用不能にする事であります。
その方法として犯人が紙幣の収納箱を破壊しようとした場合、瞬間的に紙幣を脱臭不可能な異臭で汚染し、紙幣を使用不能にするための発明があります。脱臭不可能な異臭を圧縮した不燃性ガスと一緒に容器に充填して、紙幣の収納箱内に設置します。その容器のバルブには小量の爆薬を装填して衝撃によりバルブが一気に破壊されるように製作します。
バルブが破壊されると容器内に充填した脱臭不可能な異臭が一気に紙幣収納箱内に吐出て、筐体内に収納している紙幣を瞬間に脱臭不可能な異臭で汚染し、紙幣として使用不能の状態にします。
後日、日本銀行において脱臭不可能ない臭気で汚染された紙幣でも、形状が紙幣であると確認することが出来、枚数が確認できれば、同額の紙幣と交換できる事は法律により保障されています。
【課題を解決するための手段】
【０００７】    本発明の課題を解決するための手段として、ＡＴＭ本体が盗難にあった場合、掠奪した犯人はＡＴＭを破壊し、内部に収納された紙幣を掠奪するのが犯人の目的であります。
そのためには、ＡＴＭの紙幣収納部を指定の鍵で開錠しないで破壊等の衝撃を加えて、破壊した紙幣収納箱より紙幣を掠奪しても、その紙幣を使用不能にする事であります。【０００８】  ＡＴＭ内部の紙幣収納箱に設置する接着剤容器や塗料収納容器、異臭収納容器（以下、薬液収納缶と称す）の吐出機構について説明します。
図１は、ＡＴＭ本体を示します。ＡＴＭ本体（１）の中には紙幣収納箱（５）が取り付けられています。本発明は、紙幣収納箱（５）の内部に隔壁（７）を設け隔壁内に薬液収納缶（９）および衝撃時に作動するバルブおよび発火装置、火薬（１０）を装備するものであります。
いずれの薬液収納缶（９）にも、ＡＴＭ本体（１）の破壊時に瞬間的にバルブ（１０）が一気に破壊され、急激に内部の薬液が吐出口（１１）より紙幣収納箱（５）に充満させ紙幣（８）を使用不能にすることが出来ます。
バルブの破壊については、少量の火薬をバルブに装填します。装填の方法は火薬が爆発した時に、バルブが吐出口に向かって全開となるように火薬を装填します。
着火手段として圧電素子を使用します。圧電素子は瞬間的に衝撃を加えることにより、その電極より圧電による火花が発生し、その火花がバルブに充填した火薬に点火してバルブを破壊し、初期の目的である薬液を紙幣収容箱内部に充満させ紙幣を使用不能にすることが出来ます。
【発明の効果】
【０００９】  ＡＴＭ本体が盗難にあった場合、犯人がＡＴＭ本体を破壊して内部の紙幣収納箱に収納された紙幣を掠奪しても、使用不可能な状態にすればこの盗難事件の被害は、ＡＴＭ本体の破壊のみで済みます。
このような状況の下で、大型建設機械を駆使してしかも大きな危険を冒してＡＴＭを掠奪しても、日本国内に設置されている総てのＡＴＭが盗難破壊時点で、内部に収納されている紙幣が使用不可能な状態になることが一般的に周知徹底すれば、ＡＴＭの盗難事件は、皆無になることは明白であります。
【発明を実施するための最良の形態】
【００１０】  本発明である、ＡＴＭの盗難時に、「ＡＴＭ内部に収納している紙幣を後日、日本銀行において両替可能な状態で紙幣を使用不能にする装置」を、日本国のみならず、世界中でＡＴＭを設置している国家で採用されれば、ＡＴＭ盗難破壊の犯罪が、皆無になることと思われるので、新たに法律を新設してでもＡＴＭには、本発明の「ＡＴＭの盗難時に、ＡＴＭ内部に収納している紙幣を後日、日本銀行において両替可能な状態で紙幣を使用不能にする装置」の取り付けを義務つけることにより、全世界で発生するこの種ＡＴＭの掠奪、破壊という犯罪を皆無にすることが出来るものと確信します。
【産業上の利用可能性】
【００１１】  本発明の「金銭自動受払機（通称ＡＴＭ、以後ＡＴＭと称す）の盗難時に、ＡＴＭ内部に収納している紙幣を後日、日本銀行において両替可能な状態で紙幣を使用不能にする装置」の製造については、特殊技術を必要とすることなく、通常の稼動については、支障と成るような原因は、一切考えられない。
発生の可能性で考えられるのは自然災害で、特にＡＴＭ設置地域でマグチュウド６以上の直下型地震が発生した場合、ＡＴＭ本体の転倒や地震の衝撃による破壊等が発生した場合でも、内部の紙幣が両替可能な状態で使用不能になれば、地震発生時の混乱にまぎれたＡＴＭに関する犯罪を皆無にする事が可能であり、防犯対策の一環としても、大いに推奨できる発明であると確信します。
【図面の簡単な説明】
【００１２】
【図１】    ＡＴＭの本体を示す。
【図２】    ＡＴＭ内部に取り付けた紙幣収納箱を示す
【符号の説明】
１      ＡＴＭ本体
２      ディスプレイ
３      カードリーダー
４      紙幣受払口
５      紙幣収納箱
６      硬貨受払口
７      紙幣収納室隔壁
８      紙幣
９      薬液収納缶
１０    バルブ（火薬及び発火装置を含む）
１１    吐出口
【図１】
2005157999.tif 000003
【図２】
2005157999.tif 000004